(57)【要約】【課題】複写機、プリンタ、ファクシミリにおける逆帯電トナーによる地汚れ画像等の画像不具合を防止する画像形成装置を提供することにある。【解決手段】トナー極性がマイナス極性であるトナー９を収容するトナー補給装置１と、補給されたトナーを現像バイアスによりマイナス印加された現像ローラ４と感光体３の表面電位差により現像する現像器２とを有する画像形成装置Ａにおいて、マイナス極性トナー９とマイナス印加された電圧印加部材７により前記トナーに含有する逆帯電トナー８を電気的に吸着させ、前記逆帯電トナー８の前記現像器２への供給を低減する画像形成装置。【選択図】　　　図２
2004118121.tif 000002
【特許請求の範囲】
【請求項１】
トナー極性がマイナス極性であるトナーを収容するトナー補給装置と、補給されたトナーを現像バイアスによりマイナス印加された現像ローラと感光体の表面電位差により現像する現像器とを有する画像形成装置において、マイナス極性トナーとマイナス印加された電圧印加部材により前記トナーに含有する逆帯電トナーを電気的に吸着させ、前記逆帯電トナーの前記現像器への供給を低減することを特徴とする画像形成装置。
【請求項２】
前記電圧印加部材が前記トナー補給装置内部に配置され、前記トナー補給装置から前記現像器への前記逆帯電トナーの供給を低減することを特徴とする請求項１記載の画像形成装置。
【請求項３】
前記電圧印加部材への印加電圧を現像ローラバイアスと同電位とし、逆帯電トナーを前記電圧印加部材へ吸着させることを特徴とする請求項１記載の画像形成装置。
【請求項４】
前記電圧印加部材が導電性の金属板または金属棒形状からなることを特徴とする請求項１の記載の画像形成装置。
【請求項５】
前記電圧印加部材を複数有することを特徴とする請求項４記載の画像形成装置。
【発明の詳細な説明】
【０００１】
【発明の属する技術分野】
本発明は、複写機、プリンタ、ファクシミリにおいて逆帯電トナーによる地汚れ画像等の画像不具合を防止する画像形成装置に関するものである。
【０００２】
【従来の技術】
逆帯電トナーによる地汚れ画像等の画像不具合の解決手段としては、現像器から感光体間での電位制御により逆帯電トナーを消費させる手段が知られている（例えば、特開２００１−７５３４１公報参照）。
しかし、トナー補給部から現像器へ逆帯電トナーが供給されてしまっており、あるタイミングにての逆帯電トナーの除去であるため、常に安定的であるとは言えない。常に安定的な現像を行うためには、トナー補給装置から現像器へ供給される逆帯電トナーを低減させる必要がある。
【特許文献１】特開２００１−７５３４１公報
【０００３】
【発明が解決しようとする課題】
上記従来技術には、マイナス極性トナーを使用する画像形成装置において、トナー内に含有する逆帯電トナー（プラス帯電トナー）により感光体上の地汚れとなる場合がある。
現状では、トナー内に含有される逆帯電トナーは画像形成装置内で積極的に除去する手段を持たないのが普通である。トナー内逆帯電トナー含有率のバラツキ、市場でのトナー劣化の可能性を考慮すると、画像形成装置内に逆帯電トナー除去機構を持つことがより安定的な画像を供給する手段の１つである。
また、逆帯電トナーを除去するにあたって、現像器内への逆帯電トナーの供給を防止できればより安定的な画像を得ることができる。
そこで、本発明の目的は、上記の問題点を解決するために、複写機、プリンタ、ファクシミリにおける逆帯電トナーによる地汚れ画像等の画像不具合を防止する画像形成装置を提供することにある。
【０００４】
【課題を解決するための手段】
前記の課題を解決するために、請求項１記載の発明では、トナー極性がマイナス極性であるトナーを収容するトナー補給装置と、補給されたトナーを現像バイアスによりマイナス印加された現像ローラと感光体の表面電位差により現像する現像器とを有する画像形成装置において、マイナス極性トナーとマイナス印加された電圧印加部材により前記トナーに含有する逆帯電トナーを電気的に吸着させ、前記逆帯電トナーの前記現像器への供給を低減する画像形成装置を最も主要な特徴とする。
請求項２記載の発明では、前記電圧印加部材が前記トナー補給装置内部に配置され、前記トナー補給装置から前記現像器への前記逆帯電トナーの供給を低減することを特徴とする請求項１記載の画像形成装置を主要な特徴とする。
請求項３記載の発明では、前記電圧印加部材への印加電圧を現像ローラバイアスと同電位とし、逆帯電トナーを前記電圧印加部材へ吸着させる請求項１記載の画像形成装置を主要な特徴とする。
請求項４記載の発明では、前記電圧印加部材が導電性の金属板又は金属棒形状からなる請求項１の記載の画像形成装置を主要な特徴とする。
請求項５記載の発明では、前記電圧印加部材を複数有することを特徴とする請求項４記載の画像形成装置を主要な特徴とする。
【０００５】
【発明の実施の形態】
以下、図面により本発明の実施の形態を詳細に説明する。図１は本発明における画像形成装置の実施の形態を示す概略図である。図において、画像形成装置はトナーを現像器２へ供給するトナー補給装置１と、感光体３上への現像を行う現像ローラ４等からなる現像器２とで構成されている。
感光体３の表面電位（マイナス電位）と現像ローラ４への現像バイアス（マイナス電圧）との電位差によりマイナスに帯電するトナー５を感光体３上へと搬送し現像している。トナー補給装置１内のトナー５には逆帯電トナー（プラス帯電トナー）が含有されている。トナー５はアジテータ６で攪拌される。
図２はトナー補給装置内に設けられた電圧印加部材を示す画像形成装置の概略図である。トナー５はトナー補給装置１から現像器２へ搬送されるが、トナー補給装置１内のトナー補給部付近にはマイナスに印加される電圧印加部材７が設置されている。
図３は図２の円Ａ部を示す拡大詳細図である。マイナス極性トナー９内に含有している逆帯電トナー８が電圧印加部材７に電気的に吸着される。それにより現像器２への逆帯電トナー８の供給が低減される。
図４は１つの電圧印加部材を備えたトナー補給装置を示す概略図である。図５は複数の電圧印加部材を備えたトナー補給装置を示す概略図である。両図において、電圧印加部材７は、導電性の金属板であっても金属棒であっても同様の効果が得られ、電圧印加部材７の個数を増やすことで逆帯電トナー８の吸着量を増やすことができる。
図６は電圧印加部材への電圧供給を説明する画像形成装置の概略図である。電圧印加部材７を、現像ローラ４への現像バイアス（マイナス印加）と同電位とすれば、電極板１０で簡単に印加することができる。
【０００６】
【発明の効果】
以上説明したように、請求項１によれば、画像形成装置内で逆帯電トナーを電気的に吸着させ、現像器内のトナーが常に安定したマイナス極帯電トナーであるため、安定した画像を得ることができる。
請求項２によれば、トナー補給装置内部に電圧印加部材を有するため、現像器への逆帯電トナー供給を未然に防止することができ、常に安定した画像を得ることができる。
請求項３によれば、電圧印加部材を現像ローラと同電位とするため、固有の電源を必要としないため安価である。
請求項４によれば、電圧印加部材が金属板または金属棒からなるため、安価である。
請求項５によれば、電圧印加部材を複数配置することで容易に逆帯電トナー吸着量を増やすことができるため、製品形状によってレイアウトが容易であり、安価である。
【図面の簡単な説明】
【図１】本発明における画像形成装置の実施の形態を示す概略図である。
【図２】トナー補給装置内に設けられた電圧印加部材を示す画像形成装置の概略図である。
【図３】図２の円Ａ部を示す拡大詳細図である。
【図４】１つの電圧印加部材を備えたトナー補給装置を示す概略図である。
【図５】複数の電圧印加部材を備えたトナー補給装置を示す概略図である。
【図６】電圧印加部材への電圧供給を説明する画像形成装置の概略図である。
【符号の説明】
Ａ　画像形成装置、１　トナー補給装置、２　現像器、３　感光体、４　現像ローラ、５　トナー、７　電圧印加部材、８　逆帯電トナー（プラス帯電トナー）、９　マイナス極性トナー、１０　電極板
【図１】
2004118121.tif 000003
【図２】
2004118121.tif 000004
【図３】
2004118121.tif 000005
【図４】
2004118121.tif 000006
【図５】
2004118121.tif 000007
【図６】
2004118121.tif 000008